(57)【要約】【課題】待ち受けセルの再選択が同一のセル同士の間にて一定頻度以上で発生するという事態を回避する。【解決手段】本発明に係る移動局１０は、複数のセルのうち、自局が着信を待ち受けているセルを待ち受けセルとすると、無線チャネルにおけるデータの受信状態と待ち受けセルの再選択に用いる閾値とに基づいて複数のセルのうちから待ち受けセルを再選択する。本発明に係る移動局１０は、無線チャネルにおけるデータの受信状態を測定する測定部１１と、セルの再選択が同一のセル同士の間にて一定頻度以上で発生しているか否かを検出する検出部１５と、検出結果に応じて閾値を調整する閾値調整部１６と、調整後の閾値を待ち受けセルの再選択に用いる閾値として用い、待ち受けセルの再選択を行うセル再選択部１２とを具備する。【選択図】図２
2008060662.tif 000002
【特許請求の範囲】
【請求項１】
複数のセルのうち、自局が着信を待ち受けているセルを待ち受けセルとすると、無線チャネルにおけるデータの受信状態と、前記待ち受けセルの再選択に用いる閾値とに基づいて、前記複数のセルのうちから前記待ち受けセルを再選択する移動局であって、
前記無線チャネルにおけるデータの受信状態を測定する測定部と、
前記セルの再選択が同一のセル同士の間にて一定頻度以上で発生しているか否かを検出する検出部と、
前記検出結果に応じて、前記閾値を調整する閾値調整部と、
前記調整後の閾値を前記待ち受けセルの再選択に用いる閾値として用い、前記待ち受けセルの再選択を行うセル再選択部とを具備することを特徴とする移動局。
【請求項２】
前記検出部は、所定期間内に行われた前記セルの再選択の回数に応じて、セルの再選択が一定頻度以上で発生しているか否かを検出することを特徴とする請求項１に記載の移動局。
【請求項３】
前記検出部は、前記移動局が静止状態である場合に、前記検出を行うことを特徴とする請求項１又は２に記載の移動局。
【請求項４】
前記待ち受けセルの再選択に用いる閾値は、第１の閾値と第２の閾値とを含み、
前記受信状態は、受信レベル及び受信品質を示す値で表されるものであり、
前記セル再選択部は、
前記待ち受けセルによって送信されたデータについての自局における受信レベルが前記第１の閾値よりも小さく、かつ、当該待ち受けセルの周辺にある周辺セルによって送信されたデータについての自局における受信品質を示す値から当該待ち受けセルによって送信されたデータについての自局における受信品質を示す値を減算して得られた値が、前記第２の閾値よりも大きい場合に、当該周辺セルを新たに待ち受けセルとして再選択することを特徴とする請求項１乃至３のいずれか一項に記載の移動局。
【請求項５】
前記閾値調整部は、前記セルの再選択が同一のセル同士の間にて一定頻度以上で発生していることが前記検出部によって検出された場合、前記第１の閾値を第１の所定値だけ減少させ、かつ、前記第２の閾値を第２の所定値だけ増加させることを特徴とする請求項４に記載の移動局。
【請求項６】
所定期間において最も長い時間待ち受けセルであったセルを主セルとし、前記複数のセルのうち当該主セル以外のセルを従セルとすると、
前記閾値調整部は、前記主セルが前記待ち受けセとなっている場合には、前記検出結果に応じた前記調整を行う一方、前記主セルが前記待ち受けセルとなっていない場合には、前記調整を行わないことを特徴とする請求項１乃至５のいずれか一項に記載の移動局。
【発明の詳細な説明】
【技術分野】
【０００１】
本発明は、複数のセルのうち、自局が着信を待ち受けているセルを待ち受けセルとすると、無線チャネルにおけるデータの受信状態と、前記待ち受けセルの再選択に用いる閾値とに基づいて、前記複数のセルのうちから前記待ち受けセルを再選択する移動局に関する。
【背景技術】
【０００２】
従来、待ち受けセル（サービングセル）により送信された無線チャネルにおけるデータの受信品質を示す値と、周辺セルにより送信された無線チャネルにおけるデータの受信品質を示す値とに基づいて、待ち受けセルの再選択を行う移動局が知られている。
【０００３】
ここで、待ち受けセルは、移動局が着信を待ち受けているセルであり、周辺セルは、当該待ち受けセルの周辺のセルである。
【０００４】
具体的には、図７に示すように、移動局１０は、待ち受けセル（セルＡ）及び周辺セル（セルＢ）により送信された無線チャネル（例えば、パイロットチャネル）におけるデータの受信品質を示す値（例えば、ＳＩＲやＥｃ/Ｉｏ等）を測定し、当該周辺セルにより送信された無線チャネルにおけるデータの受信品質を示す値の方が、当該待ち受けセルにより送信された無線チャネルにおけるデータの受信品質を示す値よりも良好であると判断した場合、当該待ち受けセルの再選択を行う、すなわち、待ち受けセルをセルＡからセルＢに切り替えるように構成されている（図８参照）。
【特許文献１】特開平７-２２６９７３号公報
【特許文献２】特開２００３-７００４７号公報
【特許文献３】特開２００５-１６７９４１号公報
【発明の開示】
【発明が解決しようとする課題】
【０００５】
しかしながら、図７に示すように、移動局１０が、基地局Ａによって制御されているセルＡと基地局Ｂによって制御されているセルＢとの間の境界線付近に存在している場合には、ほぼ静止状態にあるにもかかわらず、わずかな移動や角度の変化や周辺環境の変化等によって、待ち受けセルの再選択が同一のセル同士の間にて（すなわち、セルＡとセルＢとの間で）一定頻度以上で発生してしまう（ばたつきが発生してしまう）という問題点があった（図９参照）。
【０００６】
また、図７に示すように、上述の待ち受けセルの再選択が、位置登録エリアを跨って発生する場合（すなわち、位置登録エリア＃１配下のセルＡと位置登録エリア＃２配下のセルＢとの間で発生する場合）、移動局１０は、かかる待ち受けセルの再選択の度に、当該位置登録エリアに対して位置登録処理を行う必要があるため、移動局１０において消費電流が増加したり着信率が低下したりしてしまうという問題点があった。
【０００７】
そこで、本発明は、以上の点に鑑みてなされたもので、待ち受けセルの再選択が同一のセル同士間にて一定頻度以上で発生するという事態を回避することができる移動局を提供することを目的とする。
【課題を解決するための手段】
【０００８】
本発明の第１の特徴は、複数のセルのうち、自局が着信を待ち受けているセルを待ち受けセルとすると、無線チャネルにおけるデータの受信状態と、前記待ち受けセルの再選択に用いる閾値とに基づいて、前記複数のセルのうちから前記待ち受けセルを再選択する移動局であって、前記無線チャネルにおけるデータの受信状態を測定する測定部と、前記セルの再選択が同一のセル同士の間にて一定頻度以上で発生しているか否かを検出する検出部と、前記検出結果に応じて、前記閾値を調整する閾値調整部と、前記調整後の閾値を前記待ち受けセルの再選択に用いる閾値として用い、前記待ち受けセルの再選択を行うセル再選択部とを具備することを要旨とする。
【０００９】
かかる発明によれば、待ち受けセルの再選択が同一のセル同士の間にて一定頻度以上で発生する事態が検出された場合には、待ち受けセルの再選択が行われ難いように、待ち受けセルの再選択に用られる閾値を調整することによって、かかる事態を回避することができる。
【００１０】
本発明の第１の特徴において、前記検出部は、所定期間内に行われた前記セルの再選択の回数に応じて、セルの再選択が一定頻度以上で発生しているか否かを検出してもよい。
【００１１】
本発明の第１の特徴において、前記検出部は、前記移動局が静止状態である場合に、前記検出を行ってもよい。
【００１２】
本発明の第１の特徴において、前記待ち受けセルの再選択に用いる閾値は、第１の閾値と第２の閾値とを含み、前記受信状態は、受信レベル及び受信品質を示す値で表されるものであり、前記セル再選択部は、前記待ち受けセルによって送信されたデータについての自局における受信レベルが前記第１の閾値よりも小さく、かつ、当該待ち受けセルの周辺にある周辺セルによって送信されたデータについての自局における受信品質を示す値から当該待ち受けセルによって送信されたデータについての自局における受信品質を示す値を減算して得られた値が、前記第２の閾値よりも大きい場合に、当該周辺セルを新たに待ち受けセルとして再選択してもよい。
【００１３】
本発明の第１の特徴において、前記閾値調整部は、前記セルの再選択が同一のセル同士の間にて一定頻度以上で発生していることが前記検出部によって検出された場合、前記第１の閾値を第１の所定値だけ減少させ、かつ、前記第２の閾値を第２の所定値だけ増加させてもよい。
【００１４】
本発明の第１の特徴において、所定期間において最も長い時間待ち受けセルであったセルを主セルとし、前記複数のセルのうち当該主セル以外のセルを従セルとすると、前記閾値調整部は、前記主セルが前記待ち受けセルとなっている場合には、前記検出結果に応じた前記調整を行う一方、前記主セルが前記待ち受けセルとなっていない場合には、前記調整を行わなくてもよい。
【発明の効果】
【００１５】
以上説明したように、本発明によれば、待ち受けセルの再選択が同一のセル同士の間にて一定頻度以上で発生するという事態を回避することができる移動局を提供することができる。
【発明を実施するための最良の形態】
【００１６】
（本発明の第１の実施形態に係る移動局の構成）
図１及び図２を参照して、本発明の第１の実施形態に係る移動局１０の構成について説明する。本実施形態に係る移動局１０は、上述した従来の移動局と同様に、無線チャネルにおけるデータの受信状態（パイロットチャネルの受信状態）に基づいて、待ち受けセルの再選択を行うように構成されている。
【００１７】
図１に示すように、移動局１０は、測定部１１と、セル再選択部１２と、セル再選択頻度計算部１３と、静止状態判定部１４と、ばたつき検出部１５と、閾値調整部１６とを具備している。
【００１８】
測定部１１は、待ち受けセル及び周辺セルにより送信された無線チャネルにおけるデータの受信状態を測定するように構成されている。
【００１９】
具体的には、測定部１１は、待ち受けセル（図７の例では、セルＡ）及び周辺セル（図７の例では、セルＢ）により送信された無線チャネルにおけるデータの受信状態として、待ち受けセルにより送信されたデータについての自局における受信レベル（受信電界強度）や、待ち受けセル及び周辺セルにより送信されたデータについての自局における受信品質を示す値（ＳＩＲやＥｃ/Ｉｏ）を測定するように構成されている。
【００２０】
なお、測定部１１は、周辺セルにより送信されたデータについての自局における受信品質を示す値から、当該待ち受けセルにより送信されたデータについての自局における受信品質を示す値を減算した値Ｑｄｉｆｆを算出するように構成されていてもよい。
【００２１】
セル再選択部１２は、閾値調整部１６によって調整されたセル再選択用閾値（待ち受けセルの再選択に用いる閾値）と、測定部１１によって測定された無線チャネルにおけるデータの受信状態とに基づいて、上述の待ち受けセルの再選択を行うように構成されている。
【００２２】
具体的には、セル再選択部１２は、待ち受けセルから送信されたデータについての自局における受信レベルＬｒｘが、受信レベル閾値（第１の閾値）Ｌｒｘ＿ｔｈｒｅｓｈよりも小さく、かつ、周辺セルから送信されたデータについての自局における受信品質を示す値から該待ち受けセルから送信されたデータについての自局にける受信品質を示す値を減算した値Ｑｄｉｆｆが、受信品質用閾値（第２の閾値）Ｑｄｉｆｆ＿ｔｈｒｅｓｈよりも大きい場合に、当該待ち受けセルから当該周辺セルに対してセル再選択を行うように構成されている、すなわち、当該周辺セルを新たに待ち受けセルとして再選択するように構成されている（図７の例では、待ち受けセルをセルＡからセルＢに切り替える）。
【００２３】
セル再選択頻度計算部１３は、所定期間内に行われたセルの再選択の回数を計算するように構成されている。
【００２４】
具体的には、セル再選択頻度計算部１３は、図２に示すように、Ｔ１（例えば、１８０秒）周期ごとに、待ち受けセルの再選択の平均時間間隔（Ｔｃｒ）を計算するように構成されている。
【００２５】
静止状態判定部１４は、移動局１０が静止状態であるか否かについて判定するように構成されている。
【００２６】
具体的には、静止状態判定部１４は、所定期間Ｔ１において最も長い時間待ち受けセルであったセルを「主セル」とし、複数のセルのうち主セル以外のセルを「従セル」とするように構成されている。
【００２７】
そして、静止状態判定部１４は、所定期間Ｔ１において、移動局１０が「主セル」を待ち受けセルとしていた時間の割合Ｒｍａｉｎ、及び、所定期間Ｔ１において、待ち受けセルとして再選択されたセル数Ｎｃｒを算出するように構成されている。
【００２８】
なお、静止状態判定部１４は、Ｎｃｒが一定値よりも大きい場合は、「ばたつき」が発生しているのではなく、移動局１０の移動による待ち受けセルの再選択が発生しているものと判断する。
【００２９】
ここで、「ばたつき」とは、単に待ち受けセルの再選択の発生頻度が高い事態ではなく、待ち受けセルにより送信された無線チャネルにおけるデータの受信状態が十分良好であり、待ち受けセルの再選択を行わなくても通信に影響がない状況において、待ち受けセルの再選択が同一のセル同士の間にて一定頻度以上で発生する事態である。
【００３０】
例えば、静止状態判定部１４は、Ｎｃｒが、セル再選択回数用閾値Ｎｓ（例えば、５）以下である場合で、かつ、移動局１０が主セルを待ち受けセルとしていた時間が、待ち受けセルの再選択の平均時間の１．５倍以上である場合（１/Ｎｃｒ×１．５＜Ｒｍａｉｎである場合）、移動局１０が静止状態であると判定する。
【００３１】
なお、静止状態判定部１４は、ＧＰＳや速度計等を併用して、上述の静止状態の判定を行うように構成されていてもよい。
【００３２】
ばたつき検出部１５は、所定期間Ｔ１内に行われたセルの再選択の回数に応じて、待ち受けセルの再選択が一定頻度以上で発生しているか否か、すなわち、「ばたつき」が発生しているか否かを検出するように構成されている。
【００３３】
なお、セル再選択の平均時間間隔（Ｔｃｒ）が短いほど、ばたつきが発生している可能性が高いと想定される。
【００３４】
また、ばたつき検出部１５は、移動局１０が静止状態である場合に、ばたつきが発生しているか否かを検出するように構成されている。
【００３５】
なお、ばたつきが発生しているか否かについての検出方法については、図３を参照して後述する。
【００３６】
閾値調整部１６は、ばたつき検出部１５による検出結果に応じて、セル再選択用閾値を調整するように構成されている。
【００３７】
具体的には、閾値調整部１６は、ばたつきが検出された場合に、受信レベル用閾値（第１の閾値）Ｌｒｘ＿ｔｈｒｅｓｈを第１の所定値ΔＬだけ減少させ、かつ、受信品質用閾値（第２の閾値）Ｑｄｉｆｆ＿ｔｈｒｅｓｈを第２の所定値ΔＱだけ増加させるように構成されている。
【００３８】
ここで、第１の所定値ΔＬ及び第２の所定値ΔＱは、固定値であってもよいし、ＬｒｘとＬｒｘ＿ｍｉｎとの差、及び、ＱｄｉｆｆとＱｄｉｆｆ＿ｍａｘとの差に基づいて算出されてもよい。Ｌｒｘ＿ｍｉｎは、Ｌｒｘの下限値であり、Ｑｄｉｆｆ＿ｍａｘは、Ｑｄｉｆｆの上限値である。
【００３９】
閾値調整部１６は、ばたつきが検出されなくなるまで、かかる減少及び増加を繰り返すように構成されている。このように、段階的に、受信レベル用閾値Ｌｒｘ＿ｔｈｒｅｓｈ及び受信品質用閾値Ｑｄｉｆｆ＿ｔｈｒｅｓｈを調整するによって、通信に影響の出ない範囲で調整しつつ、待ち受けセルの再選択の発生を抑制することができる。
【００４０】
ただし、閾値調整部１６は、Ｌｒｘを、Ｌｒｘ＿ｍｉｎ未満に減少させないように構成されており、また、Ｑｄｉｆｆを、Ｑｄｉｆｆ＿ｍａｘを越えて増加させないように構成されている。
【００４１】
また、閾値調整部１６は、移動状態になった場合等に、即座に、受信レベル用閾値Ｌｒｘ＿ｔｈｒｅｓｈ及び受信品質用閾値Ｑｄｉｆｆ＿ｔｈｒｅｓｈを初期値に戻すように構成されている。
【００４２】
また、閾値調整部１６は、「主セル」が待ち受けセルとなっている場合には、上述の検出結果に応じたセル再選択用閾値（受信レベル用閾値Ｌｒｘ＿ｔｈｒｅｓｈ及び受信品質用閾値Ｑｄｉｆｆ＿ｔｈｒｅｓｈ）の調整を行い、「主セル」が待ち受けセルとなっていない場合には、上述の検出結果に応じたセル再選択用閾値（受信レベル用閾値Ｌｒｘ＿ｔｈｒｅｓｈ及び受信品質用閾値Ｑｄｉｆｆ＿ｔｈｒｅｓｈ）の調整を行わないように構成されていてもよい。
【００４３】
（本発明の第１の実施形態に係る移動局の動作）
図３乃至図６を参照して、本発明の第１の実施形態に係る移動局１０の動作について説明する。
【００４４】
第１に、図３を参照して、本実施形態に係る移動局１０が、所定期間Ｔ１周期で、「ばたつき」を検出する動作について説明する。
【００４５】
図３に示すように、ステップＳ１０１において、ばたつき検出部１５が、セル再選択頻度計算部１３によって計算されたセル再選択の平均時間間隔（Ｔｃｒ）が、セル再選択平均時間間隔用閾値Ｔｃｒ＿ｔｈｒｅｓｈよりも小さいか否かについて判定する。
【００４６】
小さいと判定された場合、本動作は、ステップＳ１０２に進み、小さいと判定されなかった場合、本動作は、ステップＳ１０５に進む。
【００４７】
ステップＳ１０２及びＳ１０３において、静止状態判定部１４が、移動局１０が静止状態であるか否かについて判定する。
【００４８】
具体的には、静止状態判定部１４が、ステップＳ１０２において、Ｎｃｒが、セル再選択回数用閾値Ｎｓ以下である場合で、かつ、１/Ｎｃｒ×１．５＜Ｒｍａｉｎである場合、移動局１０が静止状態であると判定する。
【００４９】
ステップＳ１０４において、ばたつき検出部１５が、セル再選択頻度計算部１３によって計算されたセル再選択の平均時間間隔（Ｔｃｒ）が、セル再選択平均時間間隔用閾値Ｔｃｒ＿ｔｈｒｅｓｈよりも小さい場合で、かつ、移動局１０が静止状態である場合に、ばたつきが発生していると判定する。
【００５０】
一方、それ以外の場合、ステップＳ１０５において、ばたつき検出部１５が、ばたつきが発生していないと判定する。
【００５１】
第２に、図４を参照して、本実施形態に係る移動局１０が、所定期間Ｔ１周期で、セル再選択用閾値（受信レベル用閾値Ｌｒｘ＿ｔｈｒｅｓｈ及び受信品質用閾値Ｑｄｉｆｆ＿ｔｈｒｅｓｈ）を調整する動作について説明する。
【００５２】
図４に示すように、ステップＳ２０１において、閾値調整部１６が、ばたつき検出部１５により「ばたつき」が検出されているか否かについて判定する。
【００５３】
「ばたつき」が検出されていると判定された場合、本動作は、ステップＳ２０２に進み、「ばたつき」が検出されていると判定されなかった場合、本動作は、セル再選択用閾値を調整することなく終了する。
【００５４】
ステップＳ２０２において、閾値調整部１６が、Ｌｒｘ−ΔＬ＜Ｌｒｘ＿ｍｉｎであるか否かについて、又は、Ｑｄｉｆｆ＋ΔＱ＞Ｑｄｉｆｆ＿ｍａｘであるか否かについて判定する。
【００５５】
いずれの条件も成立しない場合、本動作は、ステップＳ２０３に進み、いずれかの条件が成立する場合、本動作は、セル再選択用閾値を調整することなく終了する。
【００５６】
ステップＳ２０３において、閾値調整部１６が、受信レベル用閾値Ｌｒｘ＿ｔｈｒｅｓｈを第１の所定値ΔＬだけ減少させ、かつ、受信品質用閾値Ｑｄｉｆｆ＿ｔｈｒｅｓｈを第２の所定値ΔＱだけ増加させる
第３に、図５を参照して、本実施形態に係る移動局１０が、適宜、セル再選択用閾値（受信レベル用閾値Ｌｒｘ＿ｔｈｒｅｓｈ及び受信品質用閾値Ｑｄｉｆｆ＿ｔｈｒｅｓｈ）を初期化する動作について説明する。
【００５７】
図５に示すように、ステップＳ３０１において、閾値調整部１６が、Ｎｃｒ＞Ｎｓであるか否かについて、又は、１/Ｎｃｒ×１．５＜Ｒｍａｉｎであるか否かについて判定する。
【００５８】
いずれの条件も成立しない場合、本動作は、ステップＳ３０２に進み、いずれかの条件が成立する場合、本動作は、ステップＳ３０３に進む。
【００５９】
ステップＳ３０２において、閾値調整部１６が、待ち受けセルにより送信されたデータについての自局における受信レベルＬｒｘがＬｒｘ＿ｍｉｎよりも小さいか否かについて判定する。
【００６０】
小さいと判定された場合、本動作は、ステップＳ３０３に進み、小さいと判定されなかった場合、本動作は、セル再選択用閾値（受信レベル用閾値Ｌｒｘ＿ｔｈｒｅｓｈ及び受信品質用閾値Ｑｄｉｆｆ＿ｔｈｒｅｓｈ）を初期化することなく終了する。
【００６１】
ステップＳ３０３において、閾値調整部１６が、セル再選択用閾値（受信レベル用閾値Ｌｒｘ＿ｔｈｒｅｓｈ及び受信品質用閾値Ｑｄｉｆｆ＿ｔｈｒｅｓｈ）を初期値に戻す。
【００６２】
第４に、図６を参照して、本実施形態に係る移動局１０が、適宜、待ち受けセルの再選択を行う動作について説明する。
【００６３】
図６に示すように、ステップＳ４０１において、セル再選択部１２が、測定部１１により測定された受信レベルＬｒｘが、閾値調整部１６により調整されている受信レベル用閾値Ｌｒｘ＿ｔｈｒｅｓｈ以下であるか否かについて判定する。
【００６４】
受信レベルＬｒｘが受信レベル用閾値Ｌｒｘ＿ｔｈｒｅｓｈ以下であると判定された場合、本動作は、ステップＳ４０２に進み、受信レベルＬｒｘが受信レベル用閾値Ｌｒｘ＿ｔｈｒｅｓｈ以下であると判定されなかった場合、本動作は、待ち受けセルの再選択を行うことなく終了する。
【００６５】
ステップＳ４０２において、セル再選択部１２が、測定部１１により測定された受信品質を示す値の差Ｑｄｉｆｆが、閾値調整部１６により調整されている受信品質用閾値Ｑｄｉｆｆ＿ｔｈｒｅｓｈよりも大きいか否かについて判定する。
【００６６】
受信品質を示す値の差Ｑｄｉｆｆが受信品質用閾値Ｑｄｉｆｆ＿ｔｈｒｅｓｈよりも大きいと判定された場合、本動作は、ステップＳ４０３に進み、受信品質差Ｑｄｉｆｆが受信品質用閾値Ｑｄｉｆｆ＿ｔｈｒｅｓｈよりも大きいと判定されなかった場合、本動作は、待ち受けセルの再選択を行うことなく終了する。
【００６７】
ステップＳ４０３において、セル再選択部１２が、周辺セルを新たに待ち受けとして再選択する。
【００６８】
（本実施形態に係る移動局の作用・効果）
本実施形態に係る移動局１０によれば、「ばたつき（待ち受けセルの再選択が同一のセル同士の間にて一定頻度以上で発生する事態）」が検出された場合には、待ち受けセルの再選択が行われ難いように、待ち受けセルの再選択で用いる閾値（セル再選択用閾値）を調整することによって「ばたつき」を回避することができる。
【００６９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００７０】
【図１】本発明の第１の実施形態に係る移動局の機能ブロック図である。
【図２】本発明の第１の実施形態に係る移動局におけるセル再選択の平均時間間隔の測定について説明するための図である。
【図３】本発明の第１の実施形態に係る移動局が「ばたつき」を検出する動作を示すフローチャートである。
【図４】本発明の第１の実施形態に係る移動局が閾値を調整する動作を示すフローチャートである。
【図５】本発明の第１の実施形態に係る移動局が閾値を初期化する動作を示すフローチャートである。
【図６】本発明の第１の実施形態に係る移動局がセル再選択を行う動作を示すフローチャートである。
【図７】一般的な移動通信配信システムの全体構成図である。
【図８】従来の移動通信システムにおいてセル再選択が発生する様子を示す図である。
【図９】従来の移動通信システムにおいてセル再選択が発生する様子を示す図である。
【符号の説明】
【００７１】
１０…移動局
１１…測定部
１２…セル再選択部
１３…セル再選択頻度計算部
１４…静止状態判定部
１５…ばたつき検出部
１６…閾値調整部
【図１】
2008060662.tif 000003
【図２】
2008060662.tif 000004
【図３】
2008060662.tif 000005
【図４】
2008060662.tif 000006
【図５】
2008060662.tif 000007
【図６】
2008060662.tif 000008
【図７】
2008060662.tif 000009
【図８】
2008060662.tif 000010
【図９】
2008060662.tif 000011